(57)【要約】【課題】本発明はパターン化された遮光層への損傷を防止することを目的とする。【解決手段】一実施形態によるディスプレイパネルは、第１の領域と該第１の領域により囲まれた第２の領域とを有する。前記ディスプレイパネルは、上部基板と、該上部基板に対向する底部基板と、前記上部基板と前記底部基板との間に配置されたシーラント及びディスプレイ媒体層とを含むことができる。前記上部基板は、前記上部基板の上面に配置された全面反射防止層と、前記ディスプレイパネルの前記第１の領域に配置されたパターン化された遮光層と、前記パターン化された遮光層を包むパッケージ構造とを含むことができる。前記パターン化された遮光層は前記全面反射防止層の上面と直接接触させてよい。【選択図】図２Ａ
2019184991.tif 000002
【特許請求の範囲】
【請求項１】
第１の領域と前記第１の領域により囲まれた第２の領域とを有するディスプレイパネルであって、前記ディスプレイパネルは、
支持板と、
前記支持板の上面に配置された全面反射防止層と、
前記支持板の上に配置され且つ前記第１のディスプレイパネルの前記第１の領域内に位置し、前記全面反射防止層の上面と物理的に接触するパターン化された遮光層と、
を備える上部基板と、
前記パターン化された遮光層を包むパッケージ構造と、
前記上部基板に対向する底部基板と、
前記上部基板と前記底部基板との間に配置されたディスプレイ媒体層と、
前記上部基板と前記底部基板との間に配置され且つ前記表示パネルの前記第１の領域内に位置し、前記ディスプレイ媒体層を囲むシーラントと、
を備える、ことを特徴とするディスプレイパネル。
【請求項２】
前記パッケージ構造は、前記パターン化された遮光層の上面と物理的に接触する保護層を備える、ことを特徴とする請求項１に記載のディスプレイパネル。
【請求項３】
前記保護層は、更に、前記第２の領域内で前記全面反射防止層の上面を完全に覆う、ことを特徴とする請求項２に記載のディスプレイパネル。
【請求項４】
前記保護層は、更に、前記上部基板の側面、前記シーラントの側面、前記底部基板の側面及び前記底部基板の底面を覆う、ことを特徴とする請求項２に記載のディスプレイパネル。
【請求項５】
前記保護層は前記パターン化された遮光層の上面から前記第２の領域の方へ広がり、前記ディスプレイパネルの前記第２の領域の少なくとも一部分を露出する開口部を有する、ことを特徴とする請求項２に記載のディスプレイパネル。
【請求項６】
前記保護層の材料は無機材料を含む、ことを特徴とする請求項２に記載のディスプレイパネル。
【請求項７】
前記パターン化された遮光層は内端面及び外端面を有し、前記内端面は前記第１の領域と前記第２の領域との境界を規定し、前記外端面は前記内端面に対向し、前記パッケージ構造は更に、前記パターン化された遮光層の前記内端面及び前記外端面の少なくとも１つに沿って配置され且つ前記内端面及び前記外端面の少なくとも１つと接触する少なくとも１つの側壁パターンを備える、ことを特徴とする請求項２に記載のディスプレイパネル。
【請求項８】
前記側壁パターンの高さは前記パターン化された遮光層の前記内端面及び前記外端面の少なくとも１つにおける厚さ以上である、ことを特徴とする請求項７に記載のディスプレイパネル。
【請求項９】
前記保護層は前記側壁パターンの上面を露出する、ことを特徴とする請求項７に記載のディスプレイパネル。
【請求項１０】
前記側壁パターンの材料は無機材料を含む、ことを特徴とする請求項７に記載のディスプレイパネル。
【請求項１１】
前記保護層は前記第２の領域内で前記全面反射防止層の上に配置された部分を備え、前記側壁パターンは前記パターン化された遮光層と前記保護層の前記部分との間に位置する、ことを特徴とする請求項７に記載のディスプレイパネル。
【請求項１２】
前記パッケージ構造の上面が改質され、その上に疎水性物質の層が形成されている、ことを特徴とする請求項１−１１のいずれかに記載のディスプレイパネル。
【請求項１３】
前記第２の領域内の前記全面反射防止層の上面が改質され、その上に疎水性物質の層が形成されている、ことを特徴とする請求項１−１２のいずれかに記載のディスプレイパネル。
【請求項１４】
第１の領域と前記第１の領域により囲まれた第２の領域とを有するディスプレイパネルであって、前記ディスプレイパネルは、
支持板と、
前記支持板の上に配置された全面反射防止層と、
前記全面反射防止層の上に配置され且つ前記第１のディスプレイパネルの前記第１の領域内に位置するパターン化された遮光層であって、内端面及び外端面を有し、前記内端面が前記第１の領域と前記第２の領域との境界を規定し、前記外端面が前記内端面に対向しているパターン化された遮光層と、
前記パターン化された遮光層の前記内端面及び前記外端面の少なくとも１つに沿って配置された側壁パターンと、
前記上部基板に対向する底部基板と、
前記上部基板と前記底部基板との間に配置されたディスプレイ媒体層と、
を備える、ことを特徴とするディスプレイパネル。
【請求項１５】
前記側壁パターンの高さは前記パターン化された遮光層の厚さ以上である、ことを特徴とする請求項１４に記載のディスプレイパネル。
【請求項１６】
前記側壁パターンは前記パターン化された遮光層の前記外端面と前記ディスプレイパネルの側端との間に位置している、ことを特徴とする請求項１４又は１５に記載のディスプレイパネル。
【請求項１７】
前記側壁パターンは、前記パターン化された遮光層の前記外端面と物理的に接触する外部側壁パターンと、前記パターン化された遮光層の前記内端面と物理的に接触する内部側壁パターンとを備える、ことを特徴とする請求項１４〜１６のいずれかに記載のディスプレイパネル。
【請求項１８】
前記外部側壁パターンの横幅は前記内部側壁パターンの横幅より大きい、ことを特徴とする請求項１７に記載のディスプレイパネル。
【請求項１９】
前記パターン化された遮光層の上面と物理的に接触する保護層を更に備える、ことを特徴とする請求項１４〜１８のいずれかに記載のディスプレイパネル。
【請求項２０】
前記側壁パターンの材料は前記保護層の材料と異なる、ことを特徴とする請求項１９に記載のディスプレイパネル。
【発明の詳細な説明】
【技術分野】
【０００１】
本発明は、概して電子デバイスに関し、特にディスプレイパネルに関する。
【背景技術】
【０００２】
ディスプレイパネルには通常ディスプレイ領域を画定するためにパターン化された遮光層が付加される。パターン化された遮光層はブラックマトリクスとすることができ、フレーム状パターン又はマトリクス状パターンを有し、フレーム状パターン又はマトリクス状パターンで囲まれた領域がディスプレイ領域として機能する。パターン化された遮光層は、ディスプレイ領域を画定するのに加えて、不所望の光漏れも防止する。
【０００３】
一般的なディスプレイパネルでは、ディスプレイ媒体層は上部基板と底部基板の間に挟まれる。上部基板と底部基板はシーラント又は接着剤により一体に保持されるが、ディスプレイ媒体層は上部基板と底部基板との間に挟まれてディスプレイセルを形成する。ディスプレイセルが組み立てられると、パターン化された遮光層が上部基板の外面上にインクジェット印刷、スクリーン印刷又はＡＰＲ印刷などの湿式プロセスによって形成される。パターン化された遮光層は、光漏れを防ぎ、表示コントラストを向上させるためにディスプレイセルの非ディスプレイ領域上に配置される。パターン化された遮光層は周囲からの偶発的な水分や汚染にさらされる可能性があり、また外部の力で傷つけられる可能性もある。パターン化された遮光層の損傷はディスプレイパネルの性能を損なう可能性がある。
【発明の概要】
【発明が解決しようとする課題】
【０００４】
本発明はパターン化された遮光層への損傷を防止することを目的とする。
【課題を解決するための手段】
【０００５】
従って、本発明は、パターン化された遮光層のためのパッケージ構造を含むディスプレイパネルを対象とする。
【０００６】
従って、本発明は、パターン化された遮光層を保護するために側壁パターンを含むディスプレイパネルを対象とする。
【０００７】
一実施形態によれば、ディスプレイパネルは、第１の領域と該第１の領域により囲まれた第２の領域とを有する。前記ディスプレイパネルは、上部基板と、該上部基板に対向する底部基板と、前記上部基板と前記底部基板との間に配置されたシーラント及びディスプレイ媒体層とを含むことができる。前記上部基板は、前記上部基板の上面に配置された全面反射防止層と、前記ディスプレイパネルの前記第１の領域に配置されたパターン化された遮光層と、前記パターン化された遮光層を包むパッケージ構造とを含むことができる。前記パターン化された遮光層は前記全面反射防止層の上面と直接接触してよい。
【０００８】
一実施形態によれば、前記パッケージ構造は前記パターン化された遮光層の上面と物理的に接触する保護層を含んでよい。
【０００９】
一実施形態によれば、前記保護層は前記第２の領域内で前記全面反射防止層の上面を完全に覆ってよい。
【００１０】
一実施形態によれば、前記保護層は、前記上部基板の外側面、前記シーラントの側面、前記底部基板の側面及び前記底部基板の底面を覆ってよい。
【００１１】
一実施形態によれば、前記保護層は前記パターン化された遮光層の上面から前記第２の領域の方へ延在してよく、前記保護層は前記ディスプレイパネルの前記第２の領域の少なくとも一部分を露出する開口部を有してよい。
【００１２】
一実施形態によれば、前記保護層の材料は無機材料を含んでよい。
【００１３】
一実施形態によれば、前記パターン化された遮光層は内端面及び外端面を有し、前記内端面は前記第１の領域と前記第２の領域との境界を規定し、前記外端面は前記内端面に対向するものとしてよく、前記パッケージ構造は、前記パターン化された遮光層の前記内端面及び前記外端面の少なくとも１つに沿って配置され且つ前記内端面及び前記外端面の少なくとも１つと接触する少なくとも１つの側壁パターンを備えるものとしてよい。
【００１４】
一実施形態によれば、前記側壁パターンの高さは前記パターン化された遮光層の前記内端面及び前記外端面の少なくとも１つにおける厚さ以上にしてよい。
【００１５】
一実施形態によれば、前記保護層は前記側壁パターンの上面を露出してよい。
【００１６】
一実施形態によれば、前記側壁パターンの材料は無機材料を含んでよい。
【００１７】
一実施形態によれば、前記保護層は前記第２の領域内で前記全面反射防止層の上に配置された部分を含んでよく、前記側壁パターンは前記パターン化された遮光層と前記保護層の前記部分との間に位置してよい。
【００１８】
一実施形態によれば、前記パッケージ構造の上面が改質され、その上に第２の疎水性物質の層が形成されてよい。
【００１９】
一実施形態によれば、前記第２の領域内の前記全面反射防止層の上面が改質され、その上に第２の疎水性物質の層が形成されてよい。
【００２０】
一実施形態によれば、ディスプレイパネルは、第１の領域と前記第１の領域により囲まれた第２の領域とを有する。前記ディスプレイパネルは、上部基板と、前記上部基板に対向する底部基板と、前記上部基板と前記底部基板との間に配置されたディスプレイ媒体とを含むことができる。前記上部基板は、支持板と、前記支持板の上に配置された全面反射防止層と、前記全面反射防止層の上に配置されたパターン化された遮光層と、側壁パターンとを含むことができる。前記パターン化された遮光層は、前記第１のディスプレイパネルの前記第１の領域内に配置することができる。前記パターン化された遮光層は内端面及び外端面を有し、前記内端面が前記第１の領域と前記第２の領域との境界を規定し、前記外端面は前記内端面に対向するものとし得る。前記側壁パターンは前記パターン化された遮光層の前記内端面及び前記外端面の少なくとも１つに沿って配置することができる。
【００２１】
一実施形態によれば、前記側壁パターンの高さは前記パターン化された遮光層の厚さ以上としてよい。
【００２２】
一実施形態によれば、前記側壁パターンは前記パターン化された遮光層の前記外端面と前記ディスプレイパネルの側端との間に配置してよい。
【００２３】
一実施形態によれば、前記側壁パターンは、前記パターン化された遮光層の前記外端面と物理的に接触する外部側壁パターンと、前記パターン化された遮光層の前記内端面と物理的に接触する内部側壁パターンとを含んでよい。
【００２４】
一実施形態によれば、前記外部側壁パターンの横幅は前記内部側壁パターンの横幅より大きくてよい。
【００２５】
一実施形態によれば、前記ディスプレイパネルは前記パターン化された遮光層の上面と物理的に接触する保護層を更に含んでよい。
【００２６】
一実施形態によれば、前記側壁パターンの材料は前記保護層の材料と異なってよい。
【発明の効果】
【００２７】
以上を考慮すると、本発明のいくつかの実施形態によるディスプレイパネルは、パターン化された遮光層を被覆し包むように支持板の外面に配置されたパッケージ構造を含む。このパッケージ構造はパターン化された遮光層の上面及び少なくとも１つの外端面を保護するように形成することができる。従って、このディスプレイパネルのパッケージ構造はディスプレイパネルのパターン化された遮光層に所望の保護機能を提供することができる。
【００２８】
添付図面は本発明の更なる理解を与えるために含まれ、本明細書に組み込まれ、本明細書の一部をなす。図面は本発明の代表的な実施形態を示し、詳細な説明とともに本発明の原理を説明するために役立つものである。
【図面の簡単な説明】
【００２９】
【図１】本発明の一実施形態によるディスプレイパネルの上面図を概略的に示す。
【図２】図２Ａ−図２Ｈは本発明のいくつかの実施形態によるそれぞれのディスプレイパネルの断面を概略的に示す。
【図３】図３Ａ−図３Ｈは本発明のいくつかの実施形態によるそれぞれのディスプレイパネルの断面を概略的に示す。
【図４】図４Ａ−図４Ｈは本発明のいくつかの実施形態によるそれぞれのディスプレイパネルの断面を概略的に示す。
【発明を実施するための形態】
【００３０】
図面において、疎水性物質の第１の層１８０は図を明瞭にするために実施形態の他のコンポーネントに比較して大きく拡大した厚さで示されている。保護層は平坦層として示されているが、この層はこの層が配置される要素とコンフォーマルになり得る。更に、いくつかのコンポーネントの厚さは一定の寸法比で示されていない。むしろ、図示のコンポーネントの相対寸法は明瞭のために変更されている。
【００３１】
これから本発明を添付図面に示される好ましい実施形態について詳しく説明する。図面及び関連説明において、同一もしくは類似する部分は可能なかぎり同一の参照番号を用いて示す。
【００３２】
本発明の開示において、位置関係を記述するために使用する「要素Ａは要素Ｂの上に配置される」という表現は、要素Ａと要素Ｂとの間に他の要素が存在しない場合だけでなく、要素Ａと要素Ｂとの間に１つ又は複数の他の要素が存在する可能性も包含する。
【００３３】
図１は、本開示の一実施形態によるディスプレイパネル１００の上面図を概略的に示す。ディスプレイパネル１００は、第１の領域１０２と、第１の領域１０２のそばに位置する第２の領域１０４とを含み得る。第１の領域１０２は上から見たときフレーム状のパターンを有し、第２の領域１０４を取り囲むものとし得る。更に、ディスプレイパネル１００は第１の領域１０２内に位置するパターン化された遮光層１１０を有し得る。具体的には、パターン化された遮光層１１０は本実施形態ではフレーム状のパターンを有してよい。第１の領域１０２は、パターン化された遮光層１１０が配置される領域とみなすことができ、ディスプレイパネル１００の第１の領域１０２と第２の領域１０４との間の境界はパターン化された遮光層１１０の内端面１１０Ｃで規定することができる。パターン化された遮光層１１０は遮光効果を有し得る。従って、ディスプレイパネル１１０のディスプレイ光はパターン化された遮光層１１０によって妨害又は遮蔽されるため、表示画像は第２の領域１０４に提示することができる。代替実施形態では、パターン化された遮光層１１０は、設計の要求に応じて、他のパターン又は層の後に配置してよい。
【００３４】
図２Ａは、本発明の一実施形態によるディスプレイパネルの断面を示す。図２Ａに示されるように、ディスプレイパネル２００Ａは、上部基板１２０と、上部基板１２０に対向する底部基板１３０と、ディスプレイ媒体層１４０と、上部基板１２０と底部基板１３０との間に配置されたシーラント１５０と、上部基板１２０の上に配置されたパッケージ構造１６０とを含み得る。ディスプレイパネル２００Ａは図１に示すディスプレイパネル１００に類似の上面図を有し得るため、ディスプレイパネル２００Ａは第１の領域１０２と第１の領域１０２で囲まれた第２の領域１０４とを有する。上部基板１２０と底部基板１３０はシーラント１５０を介して組み立てられる。ディスプレイ媒体層１４０は上部基板１２０と底部基板１３０との間に挟まれ、シーラント１５０により囲まれる。シーラント１５０はディスプレイパネル２００Ａの第１の領域１０２内に配置することができるが、ディスプレイ媒体層１４０は殆どディスプレイパネル２００Ａの第２の領域１０４内に配置することができる。ディスプレイ媒体層１４０は液晶で形成することができるため、上部基板１２０、底部基板１３０、ディスプレイ媒体層１４０及びシーラント１５０は液晶セルとして機能し得るが、本発明はこれに限定されない。
【００３５】
上部基板１２０は、図１に示すパターン化された遮光層１１０と同じ上面図パターンを有するパターン化された遮光層１１０と、電極層１２２と、支持板１２４と、全面反射防止層１２６とを含み得る。全面反射防止層１２６は、ディスプレイ媒体層１４０から遠い支持板１２４の上面１２４ａの上に配置され、パターン化された遮光層１１０は全面反射防止層１２６の上面１２６ａの上に配置される。電極層１２２はディスプレイ媒体層１４０に近い支持板１２４の底面１２４ｂの上に配置することができる。
【００３６】
電極１２２は導電性で表示光に透明なＩＴＯ又は任意の他の材料で形成することができ、支持板１２２はガラスで形成することができるが、本発明はこれに限定されない。更に、図面は底部基板１３０を板状構造として示すが、底部基板１３０は、ガラス板又はシリコンバックプレーン（図示せず）などの別の支持基板と、その上の薄膜トランジスタアレイ又はＣＭＯＳ（相補金属酸化物半導体）デバイスアレイ（図示せず）とを備えるトランジスタアレイ基板とすることができ、そのトランジスタアレイと電極層１２２を用いてディスプレイ媒体層１４０を駆動するために駆動電界を供給することができる。従って、ディスプレイパネル２００Ａは薄膜トランジスタ液晶ディスプレイ（ＴＦＴ−ＬＣＤ）パネル又はＬＣｏＳ（リキッド・クリスタル・オン・シリコン）ディスプレイパネルとすることができる。いくつかの代替実施形態では、電極層１２２はディスプレイパネル２００Ａの駆動回路の設計に基づいて省略することができる。
【００３７】
全面反射防止層１２６は支持板１２４の全上面１２４ａを覆うが、パターン化された遮光層１１０はディスプレイパネル２００Ａの第１の領域１０２内に配置することができる。従って、ディスプレイパネル２００Ａの第１の領域１０２と第２の領域１０４との間の境界はパターン化された遮光層１１０の内端面１１０ｃで規定され得る。別の言い方をすれば、全面反射防止層１２６は支持板１２４上をディスプレイパネル２００Ａの側端Ｅ２００で制限される領域に亘って連続的に延在するが、パターン化された遮光層１１０はディスプレイパネル２００Ａの第１の領域１０２内に規定される。全面反射防止層１２６の材料は酸化ケイ素（ＳｉＯｘ）、酸化チタン（ＴｉＯｘ）又は両者の組み合わせとすることができ、露出する表面ヒドロキシル基は疎水性物質と反応してその上に疎水性物質の第１の層１８０を形成し得る。全面反射防止層１２６は、例えばＳｉＯｘ−ＴｉＯｘ−ＳｉＯｘ−ＴｉＯｘ−ＳｉＯｘの構造を有する積層多層薄膜とし得るが、これに限定されない。積層多層構造の個々のＳｉＯｘ層の厚さは５ｎｍから３００ｎｍの範囲内とし得るが、積層多層構造の個々のＴｉＯｘ層の厚さは５ｎｍから１００ｎｍの範囲内とし得る。１つのＳｉＯｘ層及び１つのＴｉＯｘ層の５５０ｎｍの波長における屈折率はそれぞれほぼ１．５及び２．３とし得る。
【００３８】
パターン化された遮光層１１０はディスプレイパネル２００Ａの第１の領域１０２内の全面反射防止層１２６の上に配置してよい。パターン化された遮光層１１０は全面反射防止層１２６の上面１２６ａと直接接触してよい。パターン化された遮光層１１０はシャープなパターン及び良い直線性を有するエッジを提供し得る。パターン化された遮光層１１０の材料は有機インクを含んでよいが、本発明はこれに限定されない。パターン化された遮光層１１０は偶発的な水分又は他の環境汚染物質に敏感であり得る。例えば、パターン化された遮光層１１０は水、ＵＶ光又はそれを損傷するかもしれない他の環境汚染物質と接触すると、そのシャープパターン、表面又はそのエッジの直線性が損なわれ、ディスプレイパネルの性能の低下及び寿命の短縮が生じ得る。更に、例えば偶発的な衝撃により発生される外的力もパターン化された遮光層１１０を損傷し、表示画像の品質を損ない得る。
【００３９】
従って、パターン化された遮光層１１０を汚染物質又は衝突により生じる損傷から保護するためにパッケージ構造１６０を含めることができる。本実施形態では、パッケージ構造１６０は、全面反射防止層１２６の上に配置され且つパターン化された遮光層１１０の上面１１０ａと接触する保護層１６２によって構成し得る。保護層１６２はディスプレイパネル２００Ａのすべての領域に広げる、即ち全面反射防止層１２６の上面１２６ａを完全に覆ってよい。言い換えれば、保護層１６２はディスプレイパネル２００Ａの側端Ｅ２００で囲まれた全域に広げてよい。保護層１６２はディスプレイパネル２００Ａの第１の領域１０２内のパターン化された遮光層１１０の上面１１０ａと接触してよい。いくつかの実施形態では、保護層１６２の材料は、酸化ケイ素、酸化チタン、酸化アルミニウム及び酸化亜鉛を含み得るが、本発明はこれらに限定されない。保護層１６２の厚さＴ１６２は特に制限されない。例えば、一実施形態では、保護層１６２は約５０ｎｍの厚さＴ１６２を有してよい。
【００４０】
本実施形態では、全面反射防止層１２６の上面１２６ａを疎水性物質の層１８０で選択的に機能化してもよい。すなわち、全面反射防止層１２６の上面１２６ａを疎水性修飾して疎水性物質の層１８０を形成し、疎水性特性を高めてもよい。疎水性物質の層１８０を形成する材料は、シラン、フッ化シラン、長鎖アルコール又は酸を含み得るが、本発明はこれらに限定されない。具体的には、疎水性物質の層１８０を形成する材料はヒドロキシル基を含み、全面反射防止層１２６の上面１２６ａ上の露出ヒドロキシル基と反応するものとし得る。疎水性物質の層１８０の厚さは約０．１ｎｍから約９０ｎｍの範囲内とし得るが、本発明はこれに限定されない。疎水性物質の層１８０はディスプレイパネル２００Ａの第１の領域１０２内で空になり、全面反射防止層１２６の上面１２６ａ上でパターン化された遮光層１１０を囲むことができる。疎水性物質の層１８０は、製造プロセス中にシャープエッジ及び良直線性を有するパターン化された遮光層を形成するのに役立ち得る。疎水性物質の層１８０は全反射防止層１２６と保護層１６２との間に挟むことができる。すなわち、保護層１６２の上面１６２ａに対向する底面１６２ｂは疎水性物質１８０の層１８０の上面に置くことができる。
【００４１】
図２Ｂは、本発明の別の実施形態によるディスプレイパネル２００Ｂの断面を示す。図２Ｂに示すディスプレイパネル２００Ｂの構造は本発明の一実施形態の一例であり得る。図２Ｂに示すディスプレイパネル２００Ｂは図２Ａに示すディスプレイパネル２００Ａに類似し、両実施形態において同一もしくは類似の参照番号は同一もしくは類似の要素又はコンポーネントを示す。ディスプレイパネル２００Ｂは、少なくとも、パターン化された遮光層１１０を有する上部基板１２０と、底部基板１３０と、ディスプレイ媒体層１４０と、シーラント１５０と、パッケージ構造１６０’とを含み得る。図２Ｂに示すディスプレイパネル２００Ｂでは、パッケージ構造１６０’は、ディスプレイセル全体の周囲に広がり、ディスプレイセル全体を完全に包み得る保護層１６２’を含む。すなわち、保護層１６２’は、上部基板１２４の側面１２４Ｓ、底部基板１３０の側面１３０Ｓ及び底面１３０ｂ、及びシーラント１５０の外側面１５０Ｓを覆うことができる。以下で記述する本発明の他の実施形態も、上述したものと同様のディスプレイパネルの全外面を覆う保護層１６２’を含むことができる。
【００４２】
いくつかの代替実施形態では、保護層の一部分又は全上面は疎水性物質で同様に機能化してよい。例えば、図２Ｃに示すディスプレイパネル２００Ｃは図２Ａのディスプレイパネル２００Ａに類似する。ディスプレイパネル２００Ｃは、少なくとも、パターン化された遮光層１１０を有する上部基板１２０と、底部基板１３０と、ディスプレイ媒体層１４０と、シーラント１５０と、保護層１６２により構成されたパッケージ構造１６０’と、疎水性物質の層１８０とを含み得る。ディスプレイパネル２００Ｃのディスプレイパネル２００Ａとの差異は、疎水性物質の他の層１８５が保護層１６２の上面１６２ａの上に形成される点にある。更に、図２Ｄに示すディスプレイパネル２００Ｄは図２Ｂのディスプレイパネル２００Ｂに類似する。ディスプレイパネル２００Ｄは、少なくとも、パターン化された遮光層１１０を有する上部基板１２０と、底部基板１３０と、ディスプレイ媒体層１４０と、シーラント１５０と、保護層１６２’により構成されたパッケージ構造１６０’と、疎水性物質の層１８０とを含むことができ、ディスプレイパネル２００Ｄのディスプレイパネル２００Ｂとの差異は、疎水性物質の更なる層１８５が保護層１６２’の上面１６２ａ’の上に形成される点が相違する。図２Ｃ及び図２Ｄに示されるように、疎水性物質の層１８５は保護層１６２（１６２’）の全上面１６２ａ（１６２ａ’）に広がる、即ちディスプレイパネル２００Ｃ（２００Ｄ）の側端Ｅ２００で囲まれた領域上を連続的に延在し、ディスプレイパネル２００Ｃ（２００Ｄ）の第１の領域１０２及び第２の領域１０４を被覆することができる。これらの実施形態では、保護層１６２（１６２’）は全面反射防止層１２６の上面１２６ａに形成された疎水性物質の層１８０と保護層１６２（１６２’）の上面１６２ａ（１６２ａ’）に形成された疎水性物質の層１８５との間に挟むことができる。疎水性物質の層１８５を形成する材料は、シラン、フッ化シラン、長鎖アルコール又は酸を含み得るが、本発明はこれらに限定されない。いくつかの実施形態では、疎水性物質の２つの層１８０及び１８５は同じ疎水性物質で形成することができ、例えば両層ともフッ化シランで形成してよい。いくつかの代替実施形態では、疎水性物質の２つの層１８０及び１８５は異なる疎水性物質で形成することができる。例えば、疎水性物質の層１８０はシランで形成し、疎水性物質の層１８５はフッ化シランで形成することができる。数ある機能の中で特に、疎水性物質の層１８５はディスプレイパネルを周囲環境からの偶発的な水から更に保護するのに役立つ。すなわち、疎水性物質の露出層１８５の撥水特性は水蒸気のディスプレイパネルへの浸入又はパターン化された遮光層への到達を防ぐことができる。
【００４３】
図２Ｅは、本発明の別の実施形態によるディスプレイパネルの断面を示す。図２Ｅに示すディスプレイパネル２００Ｅは図２Ａに示すディスプレイパネル２００Ａに類似し、両実施形態における同一もしくは類似の参照番号は同一もしくは類似の要素又はコンポーネントを示す。ディスプレイパネル２００Ｅは、少なくとも、パターン化された遮光層１１０を有する上部基板１２０と、底部基板１３０と、ディスプレイ媒体層１４０と、シーラント１５０と、パッケージ構造２６０とを含み得る。図２Ｅに示すディスプレイパネル２００Ｅは、図２Ａに示す実施形態とは、パッケージ構造２６０の保護層２６２がディスプレイパネル２００Ｅの第２の領域１０４を完全に覆わない点で相違する。具体的には、ディスプレイパネルの第２の領域１０４の一部分を露出する開口部Ｏ２６２が保護層２６２に存在し得る。保護層２６２に開口部Ｏ２６２が存在する実施形態では、第２の領域１０４の露出部分が表示領域として機能し得る。すなわち、保護層１６１の開口部Ｏ２６２で囲まれた領域は表示画像を提示する領域とみなすことができる。開口部Ｏ２６２は、ディスプレイパネル２００Ｅの第２の領域内の全面反射防止層１２６の上面１２６ａの上の疎水性物質の層１８０の一部分を露出し得る。すなわち、保護層２６２は、前実施形態のように疎水性物質の層１８０の全体を被覆せずに、むしろ疎水性物質の層１８０の一部分のみを被覆するものとし得る。
【００４４】
保護層２６２は、上部基板１２０上を第１の領域１０２から側端Ｅ２００の方へ一方向に横方向に延在し且つディスプレイパネル２００Ｅの第２の領域１０４の方へ反対方向に、第２の領域を完全に覆うことなく横方向に延在してよい。すなわち、保護層２６２はパターン化された遮光層１１０の上に配置し、ディスプレイパネルＥ２００の側端Ｅ２００まで外方へ延在するとともに、ディスプレイパネル２００Ｅの第２の領域１０４まで内方へ延在してよい。保護層２６２はパターン化された遮光層１１０の上面１１０ａから第２の領域１０４の方へ約２００μｍ〜１００μｍに亘って延在してよい。言い換えれば、パターン化された遮光層１１０の内端面１１０ｃと保護層２６２の内端面２６２ｄとの間の第２の領域１０４の部分は保護層２６２で覆われ、表示領域の一部分でない。むしろ、表示領域の境界は保護層２６２の内端面２６２Ｄにより規定されるということができる。
【００４５】
図２Ｆは、本発明の別の実施形態によるディスプレイパネルの断面を示す。図２Ｆに示すディスプレイパネル２００Ｆは図２Ｂに示すディスプレイパネル２００Ｂに類似し、両実施形態における同一もしくは類似の参照番号は同一もしくは類似の要素又はコンポーネントを示す。ディスプレイパネル２００Ｆは、パターン化された遮光層１１０を有する上部基板１２０と、底部基板１３０と、ディスプレイ媒体層１４０と、シーラント１５０と、パッケージ構造２６０’とを含み得る。この実施形態のディスプレイパネル２００Ｆでは、上部基板１２０上のパッケージ構造２６０’の保護層２６２’はパッケージ構造１６０’の保護層１６２’とは、保護層２６２’が第２領域１０４内の疎水性物質の層１８０の一部分を露出する開口部Ｏ２６２’を有する点で相違する。保護層２６２’は、第２の領域１０４を完全に覆うことなく、第２の領域１０２内のパターン化された遮光層１１０の上からディスプレイパネル２００Ｆの第２の領域１０４の方へ横方向に延在する。図２Ｅに示す保護層２６２の開口部設計と同様に、保護層２６２’の開口部２６２Ｏ’はディスプレイパネル２００Ｆの表示領域を規定し得る。加えて、図２Ｂに示す保護層１６２’と同様に、保護層２６２’の開口部Ｏ２６２’は更に支持板１２３の側面１２４Ｓ、シーラント１５０の外側面１５０Ｓ及び底部基板１３０の側面１３０Ｓ及び底面１３０ｂを覆うことができる。
【００４６】
図２Ｇは、本発明の別の実施形態によるディスプレイパネルの断面を示す。ディスプレイパネル２００Ｇは、少なくとも、パターン化された遮光層１１０を有する上部基板１２０と、底部基板１３０と、ディスプレイ媒体層１４０と、シーラント１５０と、パッケージ構造２６０とを含み得る。図２Ｇに示す実施形態は、図２Ｅに示す実施形態とは、疎水性物質の更なる層１８５が保護層２６２の上面２６２ａの上に存在する点で相違する。本実施形態では、保護層２６２の開口部Ｏ２６２により規定される領域（表示領域）において疎水性物質の層１８０が露出されるため、疎水性物質の層１８０及び疎水性物質の層１８５がディスプレイパネル２００Ｇの全外部上面上を連続的に延在氏して撥水機能を提供する。
【００４７】
図２Ｈは、本発明の別の実施形態によるディスプレイパネルの断面を示す。図２Ｈに示すディスプレイパネル２００Ｈは図２Ｇに示すディスプレイパネル２００Ｇに類似し、両実施形態における同一もしくは類似の参照番号は同一もしくは類似の要素又はコンポーネントを示す。ディスプレイパネル２００Ｈは、パターン化された遮光層１１０を有する上部基板１２０と、底部基板１３０と、ディスプレイ媒体層１４０と、シーラント１５０と、パッケージ構造２６０’とを含み得る。図２Ｈのディスプレイパネル２００Ｈでは、パッケージ構造２６０’の保護層２６２’が支持板１２４の側面１２４Ｓ、シーラント１５０の外側面１５０Ｓ及び底部基板１３０の側面１３０Ｓ及び底面１３０ｂを覆う点で、図２Ｇに示す保護層２６２と異なる。
【００４８】
図３Ａは、本発明の別の実施形態によるディスプレイパネルの断面を示す。図３Ａに示すディスプレイパネル３００Ａは図２Ａに示すディスプレイパネル２００Ａに類似し、両実施形態における同一もしくは類似の参照番号は同一もしくは類似の要素又はコンポーネントを示す。ディスプレイパネル３００Ａは、パターン化された遮光層１１０を有する上部基板１２０と、底部基板１３０と、ディスプレイ媒体層１４０と、シーラント１５０と、パッケージ構造３６０Ａとを含み得る。図３Ａのディスプレイパネル３００Ａは、図２Ａに示すディスプレイパネル２００Ａとは、パッケージ構造３６０Ａが保護層３６２と側壁パターン３６４とを含む点で異なる。保護層３６２は全面反射防止層１２６の上に配置され且つパターン化された遮光層１１０の上面１１０ａと接触する。側壁パターン３６４は全面反射防止層１２６の上に配置することができる。具体的には、パターン化された遮光層１１０は内端面１１０ｃ及び外端面１１０ｄを有し、本実施形態では外端面１１０ｄに沿って側壁パターン３６４を配置することができる。側壁パターン３６４はパターン化された遮光層１１０の外端面１１０ｄと接触してよいが、本発明はこれに限定されない。
【００４９】
側壁パターン３６４は無機材料、例えば酸化ケイ素、酸化チタン、酸化アルミニウム又は酸化亜鉛により形成することができる。いくつかの実施形態では、側壁パターン３６４の材料は保護層３６２の材料と同じにしてよい。いくつかの代替実施形態では、側壁パターン３６４と保護層３６２は異なる材料にしてもよい。側壁パターン３６４は環境汚染物質及び衝撃力からの更なる保護をパターン化された遮光層１０に与えることができる。
【００５０】
図３Ａに示されるように、側壁パターン３６４はパターン化された遮光層１１０の外端面１１０ｄとディスプレイパネル３００Ａの側端Ｅ３００との間に完全に局在される。いくつかの実施形態では、側壁パターン３６４はパターン化された遮光層１１０の内端面１１０ｃに隣接して配置し、第２の領域１０４内に完全に配置してもよい。すなわち、側壁パターン３６４はパターン化された遮光層１１０とディスプレイパネルの第２の領域１０４を覆う保護層３６２の一部分との間に配置してもよい。いくつかの他の実施形態では、側壁パターンは、例えばパターン化された遮光層１１０の外端面１１０ｄ及び内端面１１０ｃに沿ってそれぞれ配置された複数の側壁部分を含んでもよいが、本発明はこれに限定されない。
【００５１】
本実施形態では、側壁３６４はパターン化された遮光層１１０の厚さＴ１１０より大きい高さＨ３６４を有してよい。パターン化された遮光層１１０の厚さＴ１１０は内端面１１０ｃ又は外端面１１０ｄのいずれかにおいて測定してよい。すなわち、パターン化された遮光層１１０の端面全体（例えば、図３Ａのディスプレイパネル３００Ａの外端面１１０ｄ）を側壁パターン３６４により覆ってよい。いくつかの実施形態では、保護層３６２は側壁パターン３６４が配置される部分で空にし、側壁パターン３６４は保護層３６２を厚さ方向に横断してよい。言い換えれば、保護層３６２は側壁パターン３６４で満たされた複数の空隙Ｇ３６２を含み、側壁パターン３６４の上面３６４ａは露出されてよい。本実施形態では側壁パターン３６４の上面３６４ａが保護層３６２の上面３６２ａと同一平面になるように、側壁３６４はパターン化された遮光層１１０の上面１１０ａの平面から突出させることができるが、本発明はこれに限定されない。
【００５２】
更に、第１の領域１０２にパターン化された遮光層１１０を形成する前に、側壁パターン３６４の上面３６４ａ及び全面反射防止層１２６の上面１２６ａの一部分を若干の疎水性物質で機能化されるが、第１の領域１０２における全面反射防止層１２６の上面１２６ａの別の部分には疎水性物質が残存しないようにしてもよい。それに応じて、インクジェット印刷プロセスによって形成されるパターン化された遮光層１１０はシャープパターンになり得る。厳密にいえば、疎水性物質の層１８０’及び別の疎水性物質の層１８０”は機能化処理中に生成され得る。疎水性物質の層１８０”は側壁パターン３６４の上面３６４ａの上に位置し、全面反射防止層１２６と直接接触する疎水性物質の層１８０’と同一平面にならない。
【００５３】
図３Ｂは、本発明の別の実施形態によるディスプレイパネルの断面を示す。図３Ｂに示すディスプレイパネル３００Ｂの構造はディスプレイパネル１００の一実施例であってよい。ディスプレイパネル３００Ｂは、少なくとも、パターン化された遮光層１１０を有する上部基板１２０と、底部基板１３０と、ディスプレイ媒体層１４０と、シーラント１５０と、パッケージ構造３６０Ｂとを含み得る。図３Ｂに示すディスプレイパネル３００Ｂは図３Ａに示すディスプレイパネル３００Ａに類似し、両実施形態における同一もしくは類似の参照番号は同一もしくは類似の要素又はコンポーネントを示す。図３Ｂに示すディスプレイパネル３００Ｂは、図３Ａに示すディスプレイパネル３００Ａとは、図３Ｂに示すパッケージ構造３６０Ｂは、ディスプレイパネル３００Ｂの全体を覆い包む保護層３６２’を含み得る点で異なる。すなわち、保護層３６２’は支持板１２４の側面１２４Ｓ、シーラント１５０の外側面１５０Ｓ、及び底部基板１３０の側面１３０Ｓ及び底面１３０ｂを覆ってよいが、保護層３６２’は側壁パターン３６４の上面３６４ａを覆わない。
【００５４】
図３Ｃは、本発明の別の実施形態によるディスプレイパネルの断面を示す。図３Ｃに示すディスプレイパネル３００Ｃの構造はディスプレイパネル１００の一実施例であってよい。図３Ｃに示すディスプレイパネル３００Ｃは図３Ａに示すディスプレイパネル３００Ａに類似し、両実施形態における同一もしくは類似の参照番号は同一もしくは類似の要素又はコンポーネントを示す。ディスプレイパネル３００Ｃは、少なくとも、パターン化された遮光層１１０を有する上部基板１２０と、底部基板１３０と、ディスプレイ媒体層１４０と、シーラント１５０と、パッケージ構造３６０Ａと、疎水性物質の層１８０’とを含み得る。図３Ｃに示すディスプレイパネル３００Ｃは、図３Ａに示すディスプレイパネル３００Ａとは、パッケージ構造３６０Ａの上面を疎水性物質の層１８５で機能化してよい点で異なる。言い換えれば、保護層３６２の上面３６２ａの上及び側壁パターン３６４の上面３６４ａの上に疎水性物質の層１８５を存在させてよい。すなわち、ディスプレイパネル３００Ｃの第１の領域１０２及び第２の領域１０４の全体を疎水性物質の層１８５で覆ってよい。
【００５５】
図３Ｄは、本発明の別の実施形態によるディスプレイパネルの断面を示す。図３Ｄに示すディスプレイパネル３００Ｄの構造はディスプレイパネル１００の一実施例であってよい。図３Ｄに示すディスプレイパネル３００Ｄは図３Ｃに示すディスプレイパネル３００Ｃに類似し、両実施形態における同一もしくは類似の参照番号は同一もしくは類似の要素又はコンポーネントを示す。ディスプレイパネル３００Ｄは、少なくとも、パターン化された遮光層１１０を有する上部基板１２０と、底部基板１３０と、ディスプレイ媒体層１４０と、シーラント１５０と、パッケージ構造３６０Ｂと、疎水性物質の層１８０’とを含み得る。ディスプレイパネル３００Ｄでは、パッケージ構造３６０Ｂの保護層３６２’はディスプレイパネル３００Ｄの全体を覆い完全に包んでよい。すなわち、保護層３６２’は、支持板１２４の側面１２４Ｓ、シーラント１５０の外部側面１５０Ｓ、及び底部基板１３０の側面１３０Ｓ及び底面１３０ｂを覆ってよいが、側壁パターン３６４の上面３６４ａを覆わない。本実施形態では、疎水性物質の層１８５は、全面反射防止層１２６の上面１２６ａと平行して走り且つ疎水性物質の層１８５又はパターン化された遮光層１１０のいずれかと直接接触する保護層３６２’の上面３６２ａの部分の上にのみ存在してよい。疎水性物質の層１８５は更に側壁パターン３６４の上面３６４ａの上に延在させてもよい。疎水性物質の層１８５は保護層１６２のようにディスプレイパネル３００Ｄの全体に延在させなくてもよいが、本発明はこれに限定されない。いくつかの代替実施形態では、疎水性物質の層１８５はパッケージ構造３６０Ｂの外面全体に延在させ、保護層３６２’と同様にディスプレイパネル３００Ｄを包んでもよい。
【００５６】
図３Ｅは、本発明の別の実施形態によるディスプレイパネルの断面を示す。図３Ｅに示すディスプレイパネル３００Ｅの構造はディスプレイパネル１００の一実施例であってよい。図３Ｅに示すディスプレイパネル３００Ｅは図３Ａに示すディスプレイパネル３００Ａに類似し、両実施形態における同一もしくは類似の参照番号は同一もしくは類似の要素又はコンポーネントを示す。ディスプレイパネル３００Ｅは、少なくとも、パターン化された遮光層１１０を有する上部基板１２０と、底部基板１３０と、ディスプレイ媒体層１４０と、シーラント１５０と、パッケージ構造３６０Ｃと、疎水性物質の層１８０’及び１８０”とを含み得る。図３Ｅに示すディスプレイパネル３００Ｅは、図３Ａに示すディスプレイパネル３００Ａとは、パッケージ構造３６０Ｃは保護層３６６及び側壁パターン３６４を含み、保護層３６６はディスプレイパネル３００Ｅの第２の領域１０４の全体に延在しない点で相違する。ディスプレイパネル３００Ｅの第２の領域１０４の少なくとも一部分を露出する開口部Ｏ３６６が保護層３６６に存在し得る。保護層３６６の開口部Ｏ３６６が存在する実施形態では、保護層３６６による第２の領域１０４の露出部分は表示領域として機能し得る。すなわち、保護層３６６の開口部Ｏ３６６により囲まれた領域は表示画像を提示する領域とみなせる。保護層３６６の開口部Ｏ３６６は、ディスプレイパネル３００Ｅの第２の領域１０４における全面反射防止層１２６の上面１２６ａの上の疎水性物質の層１８０’の一部分を露出することができる。すなわち、保護層３６６は、ディスプレイパネル３００Ａのように疎水性物質の層１８０’の全体を覆うのではなく、ディスプレイパネル３００Ｅの第２の領域１０４に分布された疎水性物質の層１８０’の一部分のみを覆ってよい。
【００５７】
保護層３６６はパターン化された遮光層１１０の上に配置し、ディスプレイパネル３００Ｅの側端Ｅ３００の方へ及び第２の領域１０４の方へ横方向に延在してよい。保護層３６６はパターン化された遮光層１１０の上面１１０ａから第２の領域１０４の方へ約２００μｍ〜１００μｍに亘って延在してよい。言い換えれば、パターン化された遮光層１１０の内端面１１０ｃと保護層３６６の内側面３６６ｄとの間の第２の領域の部分は保護層３６６で覆われ、表示領域として機能しない。むしろ、表示領域の境界は保護層３６６の内側面３６６ｄにより規定されるといえる。
【００５８】
図３Ｆは、本発明の別の実施形態によるディスプレイパネルの断面を示す。図３Ｆに示すディスプレイパネル３００Ｆの構造はディスプレイパネル１００の一実施例であってよい。図３Ｆに示すディスプレイパネル３００Ｆは図３Ｅに示すディスプレイパネル３００Ｅに類似し、両実施形態における同一もしくは類似の参照番号は同一もしくは類似の要素又はコンポーネントを示す。ディスプレイパネル３００Ｆは、少なくとも、パターン化された遮光層１１０を有する上部基板１２０と、底部基板１３０と、ディスプレイ媒体層１４０と、シーラント１５０と、パッケージ構造３６０Ｄと、疎水性物質の層１８０’及び１８０”とを含み得る。ディスプレイパネル３００Ｆでは、パッケージ構造３６０Ｄは保護層３６６’及び側壁パターン３６４を含み、保護層３６６’はディスプレイパネル３００Ｆの周囲を覆い得る。すなわち、保護層３６６’は、支持板１２４の側面１２４Ｓ、シーラント１５０の外側面１５０Ｓ、及び底部基板１３０の側面１３０Ｓ及び底面１３０ｂを覆ってよい。
【００５９】
図３Ｇは、本発明の別の実施形態によるディスプレイパネルの断面を示す。図３Ｇに示すディスプレイパネル３００Ｇの構造はディスプレイパネル１００の一実施例であってよい。図３Ｇに示すディスプレイパネル３００Ｇは図３Ｅに示すディスプレイパネル３００Ｅに類似し、両実施形態における同一もしくは類似の参照番号は同一もしくは類似の要素又はコンポーネントを示す。ディスプレイパネル３００Ｇは、少なくとも、パターン化された遮光層１１０を有する上部基板１２０と、底部基板１３０と、ディスプレイ媒体層１４０と、シーラント１５０と、パッケージ構造３６０Ｃと、疎水性物質の層１８０’とを含み得る。図３Ｇに示すディスプレイパネル３００Ｇは、図３Ｅに示すディスプレイパネル３００Ｅとは、疎水性物質の層１８５を保護層３６６の上面３６６ａの上及び側壁パターン３６４の上面３６４ａの上に配置してよい点で異なる。
【００６０】
図３Ｈは、本発明の別の実施形態によるディスプレイパネルの断面を示す。図３Ｈに示すディスプレイパネル３００Ｈの構造はディスプレイパネル１００の一実施例であってよい。図３Ｈに示すディスプレイパネル３００Ｈは図３Ｇに示すディスプレイパネル３００Ｇに類似し、両実施形態における同一もしくは類似の参照番号は同一もしくは類似の要素又はコンポーネントを示す。ディスプレイパネル３００Ｈは、少なくとも、パターン化された遮光層１１０を有する上部基板１２０と、底部基板１３０と、ディスプレイ媒体層１４０と、シーラント１５０と、パッケージ構造３６０Ｄと、疎水性物質の層１８０’及び１８５とを含み得る。ディスプレイパネル３００Ｈでは、パッケージ構造３６０Ｄの保護層３６６’はディスプレイパネル３００Ｈの周囲を覆い得る。すなわち、保護層３６６’は支持板１２４の側面１２４Ｓ、シーラント１５０の外側面１５０Ｓ、及び底部基板１３０の側面１３０Ｓ及び底面１３０ｂを覆い得る。更に、疎水性物質の層１８５を保護層３６６’の上面３６６ａの上及び側壁パターン３６４の上面３６４ａの上に疎水性物質の層１８５を配置し得る。
【００６１】
図４Ａは、本発明の別の実施形態によるディスプレイパネルの断面を示す。図４Ａに示すディスプレイパネル４００Ａは図３Ａに示すディスプレイパネル３００Ａに類似し、両実施形態における同一もしくは類似の参照番号は同一もしくは類似の要素又はコンポーネントを示す。ディスプレイパネル４００Ａは、パターン化された遮光層１１０を有する上部基板１２０と、底部基板１３０と、ディスプレイ媒体層１４０と、シーラント１５０と、パッケージ構造４６０Ａと、疎水性物質の層１８０’及び１８０”を含み得る。図４Ａのディスプレイパネル４００Ａは、図３Ａに示すディスプレイパネル３００Ａとは、パッケージ構造４６０Ａが保護層３６２と側壁パターン４６４とを含み、側壁パターン４６４が、パターン化された遮光層１１０の外端面１１Ｄに隣接する外部側壁部４６４’及び該外部側壁部１１０ｄに対向するパターン化された遮光層１１０の内側端に隣接する内部側壁部４６４”を含む点で異なる。側壁パターン４６４の両側壁部４６４’及び４６４”はパターン化された遮光層１１０と直接接触している。いくつかの代替実施形態では、側壁パターンの１つの側壁部のみがパターン化された遮光層と直接接触してよいが、更なる代替実施形態では、側壁パターンはパターン化された遮光層と直接接触しなくてよい。
【００６２】
側壁パターン４６４の個々の側壁部４６４’及び４６４”は異なる横幅を有してよい。一実施形態では、外部側壁部４６４’は内部側壁部４６４”の内部側壁部４６４”の横幅Ｗ４６４”より大きい横幅Ｗ４６４”を有してよいが、本発明はこれに限定されない。代替実施形態では、内部側壁部４６４”の横幅Ｗ４６４”を外部側壁部４６４’の横幅Ｗ４６４’より大きくしてよい。更に異なる実施形態では、側壁パターン４６４の個々の側壁部は等しい横幅を有してもよく、すなわち、外部側壁部４６４’の横幅Ｗ４６４’は内部側壁部４６４”の横幅Ｗ４６４”に等しくしてよい。
【００６３】
側壁パターン４６４は保護層３６２を横断してよい。言い換えれば、保護層３６２は側壁部４６４’の上面４６４ａ’及び側壁部４６４”の上面４６４ａ”を覆わなくてよい。側壁部４６４’の上面４６４ａ’及び側壁部４６４”の上面４６４ａ”は保護層３６２の上面３６２ａと同一平面にしてよい。
【００６４】
更に、全面反射防止層１２６、側壁部４６４’及び側壁部４６４”は若干の疎水性物質で機能化してよい。すなわち、疎水性物質の層１８０’を全面反射防止層１２６の上に配置し、別の疎水性物質の層を１８０”を側壁部４６４’及び側壁部４６４”の上に配置してよいが、疎水性物質の層１８０”は全面反射防止層１２６と接触して配置された疎水性物質の層１８０’と同一平面になくてよい。
【００６５】
図４Ｂは本発明の別の実施形態のディスプレイパネルの断面を示す。図４Ｂに示すディスプレイパネル４００Ｂの構造はディスプレイパネル１００の一実施例であってよい。図４Ｂに示すディスプレイパネル４００Ｂは図４Ａに示すディスプレイパネル４００Ａに類似し、両実施形態における同一もしくは類似の参照番号は同一もしくは類似の要素又はコンポーネントを示す。ディスプレイパネル４００Ｂは、少なくとも、パターン化された遮光層１１０を有する上部基板１２０と、底部基板１３０と、ディスプレイ媒体層１４０と、シーラント１５０と、パッケージ構造４６０Ｂと、疎水性物質の層１８０’及び１８０”を含み得る。図４Ｂに示すディスプレイパネル４００Ｂは、図４Ａに示すディスプレイパネル４００Ａとは、パッケージ構造４６０Ｂが保護層３６２’と側壁パターン４６４とを含み、保護層３６２’がディスプレイパネル４００Ｂの全体を覆い包み得る点で異なる。すなわち、保護層３６２’は支持板１２４の側面１２４Ｓ、シーラント１５０の外側面１５０Ｓ、及び底部基板１３０の側面１３０Ｓ及び底面１３０ｂを覆ってよい。
【００６６】
図４Ｃは、本発明の別の実施形態によるディスプレイパネルの断面を示す。図４Ｃに示すディスプレイパネル４００Ｃの構造はディスプレイパネル１００の一実施例であってよい。図４Ｃに示すディスプレイパネル４００Ｃは図４Ａに示すディスプレイパネル４００Ａに類似し、両実施形態における同一もしくは類似の参照番号は同一もしくは類似の要素又はコンポーネントを示す。ディスプレイパネル４００Ｃは、少なくとも、パターン化された遮光層１１０を有する上部基板１２０と、底部基板１３０と、ディスプレイ媒体層１４０と、シーラント１５０と、パッケージ構造４６０Ａと、疎水性物質の層１８０’とを含み得る。図４Ｃに示すディスプレイパネル３００Ｃは、図４Ａに示すディスプレイパネル４００Ａとは、パッケージ構造４６０Ａの全上面を疎水性物質の層１８５で機能化してよい点で異なる。言い換えれば、保護層３６２の上面３６２ａ、側壁部４６４’の上面４６４ａ’及び側壁部４６４”の上面４６４ａ”の上に疎水性物質の層１８５を存在させてよい。疎水性物質の層１８５はディスプレイパネル４００Ｃの側端で囲まれた領域内に連続的に延在させてよい。
【００６７】
図４Ｄは、本発明の別の実施形態によるディスプレイパネルの断面を示す。図４Ｄに示すディスプレイパネル４００Ｄの構造はディスプレイパネル１００の一実施例であってよい。図４Ｄに示すディスプレイパネル４００Ｄは図４Ｃに示すディスプレイパネル４００Ｃに類似し、両実施形態における同一もしくは類似の参照番号は同一もしくは類似の要素又はコンポーネントを示す。ディスプレイパネル４００Ｄは、少なくとも、パターン化された遮光層１１０を有する上部基板１２０と、底部基板１３０と、ディスプレイ媒体層１４０と、シーラント１５０と、パッケージ構造４６０Ｂと、疎水性物質の層１８０’とを含み得る。ディスプレイパネル４００Ｄでは、パッケージ構造４６０Ｂの保護層３６２’はディスプレイパネル３００Ｄの全体（上部基板１２０、底部基板１３０、ディスプレイ媒体層１４０及びシーラント１５０）を覆い完全に包んでよい。すなわち、保護層３６２’は、上部基板１２４の側面１２４Ｓ、シーラント１５０の外部側面１５０Ｓ、及び底部基板１３０の側面１３０Ｓ及び底面１３０ｂを覆ってよい。本実施形態では、疎水性物質の層１８５は、全面反射防止層１２６の上面と平行して走る保護層３６２’の一部分の上にのみ存在してよい。疎水性物質の層１８５は更に側壁パターン４６４の上面の上に延在させてもよい。すなわち、疎水性物質の層１８５は保護層３６２’のようにディスプレイパネル４００Ｄの全体に延在させなくてもよい。いくつかの代替実施形態では、疎水性物質の層１８５はパッケージ構造４６０Ｂの外面全体に延在させ、保護層３６２’と同様にディスプレイパネル３００Ｄを包んでもよい。
【００６８】
図４Ｅは、本発明の別の実施形態によるディスプレイパネルの断面を示す。図４Ｅに示すディスプレイパネル４００Ｅの構造はディスプレイパネル１００の一実施例であってよい。図４Ｅに示すディスプレイパネル４００Ｅは図４Ａに示すディスプレイパネル４００Ａに類似し、両実施形態における同一もしくは類似の参照番号は同一もしくは類似の要素又はコンポーネントを示す。ディスプレイパネル４００Ｅは、少なくとも、パターン化された遮光層１１０を有する上部基板１２０と、底部基板１３０と、ディスプレイ媒体層１４０と、シーラント１５０と、パッケージ構造４６０Ｃと、疎水性物質の層１８０’及び１８０”とを含み得る。図４Ｅに示すディスプレイパネル４００Ｅは、図４Ａに示すディスプレイパネル４００Ａとは、パッケージ構造４６０Ｃは保護層３６６及び側壁パターン４６４を含み、保護層３６６はディスプレイパネル４００Ｅの第２の領域１０４の全体に延在しない点で相違する。ディスプレイパネル４００Ｅの第２の領域１０４の一部分を露出する開口部Ｏ３６６が保護層３６６に存在し得る。保護層３６６の開口部Ｏ３６６が存在する実施形態では、保護層３６６による第２の領域１０４の露出部分は表示領域として機能し得る。すなわち、保護層３６６の開口部Ｏ３６６により囲まれた領域は表示画像を提示する領域とみなせる。保護層３６６の開口部Ｏ３６６は、ディスプレイパネル３００Ｅの第２の領域１０４における全面反射防止層１２６上の疎水性物質の層１８０’の一部分を露出することができる。
【００６９】
図４Ｆは、本発明の別の実施形態によるディスプレイパネルの断面を示す。図４Ｆに示すディスプレイパネル４００Ｆの構造はディスプレイパネル１００の一実施例であってよい。図４Ｆに示すディスプレイパネル４００Ｆは図４Ｅに示すディスプレイパネル４００Ｅに類似し、両実施形態における同一もしくは類似の参照番号は同一もしくは類似の要素又はコンポーネントを示す。ディスプレイパネル４００Ｆは、少なくとも、パターン化された遮光層１１０を有する上部基板１２０と、底部基板１３０と、ディスプレイ媒体層１４０と、シーラント１５０と、パッケージ構造４６０Ｄと、疎水性物質の層１８０’及び１８０”とを含み得る。パッケージ構造４６０Ｄは保護層３６６’及び側壁パターン３６４を含み得る。ディスプレイパネル４００Ｆでは、パッケージ構造４６０Ｄの保護層３６６’はディスプレイパネル３００Ｆの周囲に延在し得る。すなわち、保護層３６６’は、支持板１２４の側面１２４Ｓ、シーラント１５０の外側面１５０Ｓ、及び底部基板１３０の側面１３０Ｓ及び底面１３０ｂを覆い得る。
【００７０】
図４Ｇは、本発明の別の実施形態によるディスプレイパネルの断面を示す。図４Ｇに示すディスプレイパネル４００Ｇの構造はディスプレイパネル１００の一実施例であってよい。図４Ｇに示すディスプレイパネル４００Ｇは図４Ｅに示すディスプレイパネル４００Ｅに類似し、両実施形態における同一もしくは類似の参照番号は同一もしくは類似の要素又はコンポーネントを示す。ディスプレイパネル４００Ｇは、少なくとも、パターン化された遮光層１１０を有する上部基板１２０と、底部基板１３０と、ディスプレイ媒体層１４０と、シーラント１５０と、パッケージ構造４６０Ｃと、疎水性物質の層１８０’とを含み得る。図４Ｇに示すディスプレイパネル４００Ｇは、図４Ｅに示すディスプレイパネル４００Ｅとは、疎水性物質の層１８５を保護層３６６の上面３６６ａの上及び側壁パターン３６４の上面３６４ａの上に配置してよい点で異なる。
【００７１】
図４Ｈは、本発明の別の実施形態によるディスプレイパネルの断面を示す。図４Ｈに示すディスプレイパネル４００Ｈの構造はディスプレイパネル１００の一実施例であってよい。図４Ｈに示すディスプレイパネル４００Ｈは図４Ｇに示すディスプレイパネル４００Ｇに類似し、両実施形態における同一もしくは類似の参照番号は同一もしくは類似の要素又はコンポーネントを示す。ディスプレイパネル４００Ｈは、少なくとも、パターン化された遮光層１１０を有する上部基板１２０と、底部基板１３０と、ディスプレイ媒体層１４０と、シーラント１５０と、パッケージ構造４６０Ｄと、疎水性物質の層１８０’とを含み得る。ディスプレイパネル４００Ｈでは、パッケージ構造４６０Ｄの保護層３６６’はディスプレイパネル４００Ｈの周囲を覆い得る。すなわち、保護層３６６’は支持板１２４の側面１２４Ｓ、シーラント１５０の外側面１５０Ｓ、及び底部基板１３０の側面１３０Ｓ及び底面１３０ｂを覆い得る。
【００７２】
以上から、本発明の一実施形態によるディスプレイパネルは、パターン化された遮光層とパターン化された遮光層と接触したパッケージ構造とを含む。パッケージ構造は、パターン化された遮光層の少なくとも１つの端面に対面する側壁パターンを更に含んでよい。その結果、パターン構造はパターン化された遮光層を周囲の汚染物質又は衝撃力に起因する損傷から保護することができる。
【００７３】
本発明の範囲又は精神から逸脱することなく様々な修正及び変更を本発明の構造に成し得ることは当業者に明らかである。以上を考慮すると、本発明は、後記の請求項及びそれらの等価物の範囲に含まれるならば、本発明の様々な修正及び変更をカバーすることを意図している。
【産業上の利用分野】
【００７４】
本発明のディスプレイパネルは表示機能を必要とする電子機器に適用することができる。
【符号の説明】
【００７５】
１００，２００Ａ、２００Ｂ、２００Ｃ、２００Ｄ、２００Ｅ、２００Ｆ、２００Ｇ、２００Ｈ、３００Ａ、３００Ｂ、３００Ｃ、３００Ｄ、３００Ｅ、３００Ｆ，３００Ｇ，３００Ｈ、４００Ａ，４００Ｂ，４００Ｃ，４００Ｄ，４００Ｅ，４００Ｆ，４００Ｇ，４００Ｈ    ディスプレイパネル
１０２    第１の領域
１０４    第２の領域
１１０    パターン化された遮光層
１１０ａ，１２４ａ，１２６ａ，１６２ａ，１６２ａ’，２６２ａ，３６２ａ，３６２ａ’，３６４ａ３６６ａ，３６６ａ’，４６４ａ，４６４ａ”    上面
１１０ｃ    内端面
１１０ｄ    外端面
１２０    上部基板
１２２    電極層
１２４    支持板
１２４ｂ、１３０ｂ、１６２ｂ    底面
１２４Ｓ，１３０Ｓ    側面
１３０    底部基板
１４０    ディスプレイ媒体
１５０    シーラント
１５０Ｓ    外側面
１６０，１６０’，２６０，２６０’，３６０Ａ，３６０Ｂ，３６０Ｃ，３６０Ｄ，４６０Ａ，４６０Ｂ，４６０Ｃ，４６０Ｄ    パッケージ構造
１６２，１６２’，２６２，２６２’，３６２，３６２’，３６６，３６６’    保護層
１８０，１８０’，１８０”，１８５    疎水性物質の層
２６２ｄ、３６６ｄ    内端面
３６４，３６６    側壁パターン
４６４’    外部側壁部
４６４”    内部側壁部
Ｅ２００，Ｅ３００    側端
Ｇ３６２    ギャップ
０２６２，Ｏ２６２’，Ｏ３６６    開口部
Ｔ１１０，Ｔ１６２    厚さ
Ｗ４６４’，Ｗ４６４”    横幅
【図１】
2019184991.tif 000003
【図２Ａ】
2019184991.tif 000004
【図２Ｂ】
2019184991.tif 000005
【図２Ｃ】
2019184991.tif 000006
【図２Ｄ】
2019184991.tif 000007
【図２Ｅ】
2019184991.tif 000008
【図２Ｆ】
2019184991.tif 000009
【図２Ｇ】
2019184991.tif 000010
【図２Ｈ】
2019184991.tif 000011
【図３Ａ】
2019184991.tif 000012
【図３Ｂ】
2019184991.tif 000013
【図３Ｃ】
2019184991.tif 000014
【図３Ｄ】
2019184991.tif 000015
【図３Ｅ】
2019184991.tif 000016
【図３Ｆ】
2019184991.tif 000017
【図３Ｇ】
2019184991.tif 000018
【図３Ｈ】
2019184991.tif 000019
【図４Ａ】
2019184991.tif 000020
【図４Ｂ】
2019184991.tif 000021
【図４Ｃ】
2019184991.tif 000022
【図４Ｄ】
2019184991.tif 000023
【図４Ｅ】
2019184991.tif 000024
【図４Ｆ】
2019184991.tif 000025
【図４Ｇ】
2019184991.tif 000026
【図４Ｈ】
2019184991.tif 000027
【外国語明細書】
2019184991000001.pdf